(57)【要約】  【課題】製氷皿が着脱可能な製氷装置を備えた冷蔵庫において、製氷能力を向上する製氷室の風路を提供する。  【解決手段】製氷室３１内の上部には製氷室扉３１ａの反扉方向の後方に駆動部３８を配置し、製氷皿３９は保持体４６に一体構成されており、駆動部３８に着脱自在であるように構成された製氷装置と、氷を作るために前記製氷皿３９に冷気を導く風路とで構成された製氷室３１において、製氷室３１内の風路は、駆動部３８の側方を通り、製氷皿３９の長辺側から冷気を受けるようにしたことで、製氷室３１内に吐出される冷気を、風路抵抗が少ない冷気ダクト４４ｃを形成して取り入れることができるため、製氷スピードを向上することができる。【選択図】図３
2006046749.tif 000002
【特許請求の範囲】
【請求項１】
開閉自在な製氷室扉を設け、製氷室を冷蔵庫本体に構成し、製氷皿と、製氷皿を保持する保持体と、前記製氷皿から氷を分離させる駆動部と、前記製氷皿の下方に設けた貯氷箱と、前記貯氷箱の氷の量を検知する氷検知レバーとを有し、前記製氷皿と保持体は一体構成され、前記保持体は製氷皿を保持したまま製氷室外に取り出せるような着脱機構を有した製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を投入するようにしたことを特徴とする冷蔵庫。
【請求項２】
製氷室上部に固定されたフレームと、前記製氷装置とにより構成される製氷室において、前記フレームの製氷室奥から前記製氷皿前面にかけての左右どちらか一方の側方に、凹状に形成した冷気ダクトを前記フレームに一体構成し、前記冷気ダクトの製氷皿側の仕切壁に冷気入口孔を設けたことを特徴とする請求項１に記載の冷蔵庫。
【請求項３】
前記フレームに設けた冷気ダクトに、前記製氷室奥に設置した吐出孔と前記冷気入口孔との間に整流板に設けることを特徴とする請求項２に記載の冷蔵庫。
【請求項４】
前記冷気入口孔を複数個設けたことを特徴とする請求項２または３に記載の冷蔵庫。
【請求項５】
製氷室上部に固定されたフレームと、前記製氷装置とにより構成される製氷室において、前記フレームの製氷室奥から前記製氷皿前面にかけての左右どちらか一方の側方に冷気ダクトを設け、前記冷気ダクトの製氷皿側の仕切壁に冷気入口孔を設け、反対側のもう一方の側方に前記製氷皿を覆うように下方へ伸びる仕切壁を設け、前記仕切壁に冷気出口孔を設けたことを特徴とする請求項２から４のいずれか一項に記載の冷蔵庫。
【請求項６】
前記冷気入口孔の下端が、前記製氷皿の上端面に対し、高さ方向で略同一か、それ以上の位置にあることを特徴とする請求項２から５のいずれか一項に記載の冷蔵庫。
【請求項７】
前記冷気ダクトの長手方向の投影面上に製氷室奥の吐出孔を設けたことを特徴とする請求項２から６のいずれか一項に記載の冷蔵庫。
【請求項８】
前記フレームに設けた仕切壁に、製氷が完了したこと検知する温度検知センサーを設けたことを特徴とする請求項２から７のいずれか一項に記載の冷蔵庫。
【請求項９】
前記製氷皿を一体構成した保持体の長辺側の側方に、前記氷検知レバーを設けたことを特徴とする請求項２から８のいずれか一項に記載の冷蔵庫。
【請求項１０】
前記氷検知レバーを、前記フレームの仕切壁と、冷気ダクトに形成した製氷皿側のダクト壁との間の空間に設けたことを特徴とする請求項９に記載の冷蔵庫。
【発明の詳細な説明】
【技術分野】
【０００１】
本発明は、製氷装置を備えた冷蔵庫に関するものである。
【背景技術】
【０００２】
近年、冷蔵庫に自動製氷装置を備えたものが主流となってきている（例えば、特許文献１参照）。
【０００３】
図９は従来の製氷装置を備えた冷蔵庫の製氷装置部の縦断面図である。図１０は同製氷装置における製氷皿部分の斜視図である。
【０００４】
図９、図１０に示すように冷蔵庫本体１の冷凍室２に自動製氷装置３が設置されている。そして、自動製氷装置３は、主として冷却器４で冷却され、ファン５により冷凍室２を循環する冷気で水を冷やし氷を作る製氷皿６と、この製氷皿６を駆動軸７で回転させて変形を与え、前記氷を製氷皿６から分離させる駆動装置８と、前記製氷皿６から分離して放出される氷を貯める貯氷箱９から構成されている。前記製氷皿６は前軸１０を、冷凍室２に固定された駆動装置８に後端部を固定してあるＬ字形のフレーム１１の前端部１２に設けた下向きＵ字状の溝１３に嵌合させ、後側の係合部１４を駆動軸７へ着脱可能に係合している。
【０００５】
また、製氷皿６の前軸１０は溝１３より突出した端部を、両側の仕切壁１５の前端部にねじ１６で止めた化粧カバー１７の裏面に設けた外れ防止爪１８、１９に嵌合させ溝１３から外れないようにしている。なお、２０、２１はフレーム１１の前端部１２を支える化粧カバー１７の裏面に設けた外れ防止爪、２２は冷凍室２の扉、２３は駆動装置１８より一体に延設した屈曲可能な温度センサーで、駆動軸７より長くして製氷皿６の係合部１４内に位置している。上記構成により、製氷皿６の清掃性を容易にするものである。
【特許文献１】特開平６−３２３７０２号公報
【発明の開示】
【発明が解決しようとする課題】
【０００６】
しかしながら、上記従来の冷蔵庫では、冷凍室２内にある自動製氷装置３周辺に冷気を循環させるファン５が冷凍室２の一番奥の冷却器４近傍に設置され、氷をつくる製氷皿６に冷気を循環するためには、駆動装置７を超えて風路を形成することが必要であり、その結果風路抵抗が発生することによる製氷皿６への風量が低下し、製氷能力を確保することが困難である。また、駆動装置７に直接冷気が当たり、駆動装置７が凍結してしまうという課題を有していた。
【０００７】
本発明は、上記従来の課題を解決するものであり、製氷皿を簡単に取り外し可能なタイプにおいて、製氷能力を向上かつ駆動部の凍結信頼性を確実に確保できる自動製氷装置を有する冷蔵庫を提供することを目的とする。
【課題を解決するための手段】
【０００８】
上記従来の課題を解決するために、開閉自在な製氷室扉を設け、製氷室を冷蔵庫本体に構成し、製氷皿と、製氷室扉方向の前方及び後方に設けた軸部に支持または把持する保持部分を備えた保持体と、前期製氷皿から氷を分離させる駆動部と、前記製氷皿と保持体は一体構成され、前記保持体は製氷皿を保持したまま製氷室外に取り出せるような着脱機構を有した自動製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を受けるようにしたものである。
【０００９】
これによって、製氷室に設けられた製氷皿は回転する支持部と一体構成された保持体として製氷装置の駆動部の回転軸と着脱できることから、冷蔵庫本体から簡単かつ容易に製氷皿を取り外し、取り付けすることができるとともに、製氷室内の冷気を循環させる風路を、製氷皿の側方に位置させ、製氷皿の側方から直接冷気を取り入れることができることから、製氷皿内の位置によってバラツキの少なくすることができるとともに、製氷スピードを向上することができる。
【００１０】
また、製氷皿を回転する駆動装置に直接冷気を当てないような風路を構成することができることから、駆動装置の回転軸が非常に温度が低下し、凍結に至ることを防止することができる。
【発明の効果】
【００１１】
本発明の冷蔵庫は、製氷室内の冷気を循環させる風路を、製氷皿の側方に位置させ、製氷皿の側方から直接冷気を取り入れることができることから、製氷皿内の位置によってバラツキの少なくすることができるとともに、製氷スピードを向上することができる。また、製氷皿を回転する駆動装置に直接冷気を当てないような風路を構成することができることから、駆動装置の回転軸が非常に温度低下し、凍結に至ることを防止することができる。
【発明を実施するための最良の形態】
【００１２】
請求項１に記載の発明は、開閉自在な製氷室扉を設け、製氷室を冷蔵庫本体に構成し、製氷皿と、製氷皿を保持する保持体と、前記製氷皿から氷を分離させる駆動部と、前記製氷皿の下方に設けた貯氷箱と、前記貯氷箱の氷の量を検知する氷検知レバーとを有し、前記製氷皿と保持体は一体構成され、前記保持体は製氷皿を保持したまま製氷室外に取り出せるような着脱機構を有した製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を投入したものであり、製氷室内の冷気を循環させる風路を、製氷皿の側方に位置させ、製氷皿の側方から直接冷気を取り入れることができることから、製氷スピードを向上することができる。また、製氷皿を回転する駆動装置に直接冷気を当てないような風路を構成することができることから、駆動装置の回転軸が非常に温度低下し、着霜及び凍結に至ることを防止することができる。
【００１３】
請求項２に記載の発明は、請求項１に記載の発明において、製氷室上部に固定されたフレームと、前記製氷装置とにより構成される製氷室において、前記フレームの製氷室奥から前記製氷皿前面にかけての左右どちらか一方の側方に、冷気ダクトを設け、前記凹部の製氷皿側の仕切壁に冷気入口孔を設けたことものであり、冷気を循環させる風路が冷気ダクトに確実に囲い、冷気漏れを防止することができ、更に効率的に製氷を行うことができる。
【００１４】
請求項３に記載の発明は、請求項２に記載の発明において、フレームに設けた冷気ダクトに、前記製氷室奥に設置した吐出孔と前記冷気入口孔との間に整流板に設けたものであり、製氷室内を循環する冷気を配分しながら製氷皿へ取り入れることができるため、製氷皿内の前後左右の位置による製氷スピードのバラツキをなくし、均一な時間で製氷することが可能となる。
【００１５】
請求項４に記載の発明は、請求項２または３に記載の発明において、冷気入口孔を複数個設けたものであり、製氷皿内の前後の位置による製氷スピードのバラツキをなくし、均一な時間で製氷することができるとともに、複数の冷気入口孔との間に、仕切りを設けることで、フレームの強度を増すことができ、自動製氷装置の長期の信頼性を確保することが可能となる。
【００１６】
請求項５に記載の発明は、請求項２から４のいずれか一項に記載の発明において、製氷室上部に固定されたフレームと、前記自動製氷装置とにより構成される製氷室において、前記フレームの製氷室奥から前記製氷皿前面にかけての左右どちらか一方の側方に冷気ダクトを設け、前記冷気ダクトの製氷皿側の仕切壁に冷気入口孔を設け、反対側のもう一方の側方に前記製氷皿を覆うように下方へ伸びる仕切壁を設け、前記仕切壁に冷気出口孔を設けたものであり、フレームの左右両側に仕切壁を設けることで、フレームの強度を増すことができ、フレームに自動製氷装置である駆動部や製氷皿を取り付けることが可能となる。更に、強度を確保するとともに、製氷皿側方から取り入れた冷気を効率良く反対側の仕切壁に設置した冷気出口孔から通過させるため、製氷皿周辺の冷気の淀みを抑制し、製氷皿周辺の着霜や凍結を防止することができる。
【００１７】
請求項６に記載の発明は、請求項２から５のいずれか一項に記載の発明において、冷気入口孔の下端が、前記製氷皿の上端面に対し、高さ方向で略同一か、それ以上の位置にすることで、冷蔵庫製氷皿側方から取り入れる冷気を確実に製氷皿の上部開口面、すなわち給水された水の水面を通過するようにできることから、更に製氷スピードを向上できる。
【００１８】
請求項７に記載の発明は、請求項２から６のいずれか一項に記載の発明において、冷気ダクトの長手方向の投影面上に製氷室奥の吐出孔を設けたものであり、製氷室奥の吐出孔と冷気ダクトが、製氷室の前後方向で一直線上に配置できることから、風路抵抗を少なくし、冷気の循環を良くすることが可能となる。
【００１９】
請求項８に記載の発明は、請求項２から７のいずれか一項に記載の発明において、フレームに設けた仕切壁に、所定時間後に製氷が完了したこと検知する温度検知センサーを設けたことものであり、製氷皿の近傍に設置することができ、製氷皿の状態を精度良く検知し、検知精度の向上とともに、フレームと温度検知センサーを一体構成できることから作業性の向上にもつながる。
【００２０】
請求項９に記載の発明は、請求項２から８のいずれか一項に記載の発明において、製氷皿を一体構成した保持体の長辺側の側方に、前記氷検知レバーを設けたものであり、保持体により一体構成された製氷皿が氷検知レバーに干渉せずに、簡単に着脱できるとともに、着脱時にスライドさせる製氷皿から水等がこぼれた場合でも水かかりを防止できる。
【００２１】
請求項１０に記載の発明は、請求項９に記載の発明において、氷検知レバーを、前記フレームの仕切壁と、冷気ダクトに形成した製氷皿側のダクト壁との間の空間に設けたものであり、氷検知レバーを完全に風路外に設置することができ、直接冷気が当たることによる凍結、着霜を防止することが可能となる。
【００２２】
以下、本発明の実施の形態について、図面を参照しながら説明する。なお、この実施の形態によってこの発明が限定されるものではない。
【００２３】
（実施の形態１）
図１は本発明の実施の形態１における冷蔵庫の縦断面図、図２は同実施の形態における冷蔵庫の部分断面図、図３は同実施の形態における冷蔵庫の部分断面図、図４は同実施の形態における製氷装置の分解図、図５は同実施の形態における製氷皿周辺の分解斜視図、図６は同実施の形態における製氷装置の平面図、図７は同実施の形態における図６のＢ−Ｂ断面図、図８は同実施の形態における製氷装置の斜視図である。
【００２４】
図１及び図２において、３０は冷蔵庫本体で、製氷室３１と冷蔵室３２を有し、それぞれ製氷室扉３１ａと冷蔵室扉３２ａがある。冷蔵庫本体３０の背面下部には冷却器３３が配置され、冷却された冷気を各室に循環させるファン３４を冷却器３３の上方に配置している。製氷室３１奥には、冷却器３３を覆うカバー３５に吐出孔３６が設置され、冷却器３３で冷却された冷気を製氷室３１内に取り入れる。
【００２５】
製氷室３１内の上部には製氷装置３７が配置されており、この製氷装置３７は製氷室３１の反扉方向の後方に駆動部３８を配置し、製氷皿３９で製氷された氷は駆動部３８からの回転駆動により下部の貯氷箱４０に貯蔵するようになっている。冷蔵室３２には製氷用水を貯蔵するための給水タンク４１が配置されており、この給水タンク４１内の水は、給水ポンプ４２により給水管４３を通して一定量製氷皿３９に給水するようになっている。
【００２６】
次に、製氷装置３７について、その構造を詳細に説明する。図３から図８において、駆動部３８は、製氷室３１の上部に固定されたフレーム４４の端部に設置され、駆動部３８の駆動源に連動して回動する駆動軸３８ａを略中央部に有し、所定時間ごとに所定の範囲内で上下に動き、貯氷箱４０に氷が満杯になったかどうかを検知する氷検知レバー４５及び駆動源を制御する制御部（図示せず）が設けられている。製氷皿３９は、回転可能な軸部３９ａ、３９ｂを有し、両軸部を支持する保持部分を備えた保持体４６に保持治具４６ａを介して一体構成されており、駆動部３８の駆動軸３８ａに着脱自在に連結可能である。
【００２７】
フレーム４４は左右に仕切壁４４ａ、４４ｂを設け、製氷皿３９を覆うように下方に伸びるよう構成されている。前記仕切壁４４ａ、４４ｂの内側側面には保持体４６をスライドさせる摺動部を有し、前後に着脱できるよう構成されている。摺動部とは、例えば、保持体４６から凸部４６ｂを設け、仕切壁４４ａ、４４ｂに凹部４４ｄを左右にそれぞれ設けて、前記凸部４７を凹部４４ｄにはめ込む形で構成し前後にスライドさせるものが代表的である。
【００２８】
次に製氷室３１内の風路について、その構造を詳細に説明する。図２から図８において、フレーム４４は左右に仕切壁４４ａ、４４ｂを設けて構成され、前記仕切壁４４ａの製氷皿３９と反対側の側方に凹状の冷気ダクト４４ｃを設け、開口された上面は製氷室３１の天井面などでシールされ、それぞれは製氷装置３７の前後方向で略全長を形成している。冷気ダクト４４ｃは製氷室３１奥にあるカバー３５付近まで伸びていて、吐出孔３６から製氷室３１内に吐出される冷気の洩れを抑制するよう、簡易的にシールされている。また、フレーム４４の前方は開口されており、保持体４６に一体構成された製氷皿３９を着脱するためのものである。
【００２９】
また、仕切壁４４ａには、製氷皿３９に冷気を投入する冷気入口孔４８を設けていて、仕切壁４４ｂは、製氷皿を覆うように下方に伸び、その側面に冷気出口孔４９を設けている。
【００３０】
なお、今回説明した配置は、仕切壁４４ａの側方に冷気ダクト４４ｃを形成したもので説明したが、仕切壁４４ｂの側方に冷気ダクト４４ｃを形成しても構わない。その場合は仕切壁４４ａに冷気出口孔４９を、仕切壁４４ｂに冷気入口孔４８がそれぞれ構成されることになる。
【００３１】
また、図７に示すように、氷検知レバー４５は製氷皿３９を一体構成した保持体４６の長辺側の側方に設けられている。
【００３２】
また、温度検知センサー５０はフレーム４４の所定の位置に設けられ、製氷室３１の温度を検知し製氷完了温度との相関を検出するものであり、取り付け位置は製氷をつかさどる冷気の流れ出口である仕切壁４４ｂに設けるのがよい。
【００３３】
上記の構成において製氷動作について説明を行う。製氷皿３９に水が給水されて製氷が行われ、所定時間後に製氷が完了したことを、前記温度検知センサー５０が検知すると、駆動部の駆動制御により駆動軸３８ａを回動し、製氷皿３９を回転させると同時に、氷検知レバー４５により、貯氷箱４０内の氷の量をレバーの降下角度により判断し、満氷でない場合は製氷皿３９を反転及びひねることにより氷が離氷され、駆動軸３８ａが所定の位置になった時、駆動モータを停止し離氷が完了する。離氷された氷は下部の貯氷箱４０に貯氷される。
【００３４】
次に、製氷を目的とする風路についての説明を行う。冷蔵庫内を冷却するために、冷却器３３で冷却された冷気をファン３４により各庫内に送風する。製氷室３１にはファン３４で送風された冷気が製氷室３１奥に設けた吐出孔３６から吐出される。次に製氷装置３７を固定したフレーム４４の側方に設けた冷気ダクト４４ｃを通る。このときフレーム４４に設けた仕切壁４４ａが製氷装置３７の駆動部３８を覆っているため、冷気が直接駆動部３８に当たることがなく、着霜や凍結等を防止できる。次に、冷気ダクト４４ｃを通過した冷気は、仕切壁４４ａに設けた冷気入口孔４８から、製氷皿３９に冷気が投入され、製氷皿３９に給水された水を冷却し、水が所定の温度まで冷却されれば氷になる。このとき、製氷装置３７は製氷室３１の反扉方向の後方に駆動部３８を配置し、製氷皿３９は、回転可能な軸部３９ａ、３９ｂを有し、両軸部を支持する保持部分を備えた保持体４６に保持治具４６ａを介して一体構成されているため、製氷室３１内の冷気を循環させる風路を、製氷皿３１の側方である長辺側に位置させ、製氷皿３１の長辺側から直接冷気を取り入れることができることから、製氷スピードを向上することができる。
【００３５】
また、製氷室３１内を循環する冷気を均一に配分しながら製氷皿３１へ取り入れ、製氷皿３９内の前後左右の位置による製氷スピードのバラツキをなくすため、整流板５１や冷気入口孔４８を複数設けてもよい。
【００３６】
また、前記凹状の冷気ダクト４４ｃの製氷皿３９側の仕切壁４４ａに冷気入口孔４８を設け、反対側のもう一方の側方に前記製氷皿を覆うように下方へ伸びる仕切壁４４ｂを設け、前記仕切壁４４ｂに冷気出口孔４９を設けることにより、フレーム４４の左右両側に仕切壁４４ａ、４４ｂを設けることで、フレーム４４の強度を増すことができ、フレーム４４に製氷装置３７である駆動部３８や製氷皿３９を取り付けることが可能となる。更に、強度を確保するとともに、製氷皿３９側方から取り入れた冷気を効率良く反対側の仕切壁４４ｂに設置した冷気出口孔４９から通過させるため、製氷皿３９周辺の冷気の淀みを抑制し、製氷皿３９周辺の着霜や凍結を防止することができる。
【００３７】
また、製氷皿３９側方から取り入れる冷気を確実に製氷皿３９の上部開口面、すなわち給水された水の水面を通過させ、更に製氷スピードを向上できるため、フレーム４４にて構成される左右の仕切壁４４ａ、４４ｂに、製氷皿３９を保持した保持体４６をスライドさせるレール部５２を設け、前記冷気入口孔４８の下端が、前記製氷皿３９の上端面に対し、高さ方向で略同一か、低い位置にするほうがよい。
【００３８】
また、製氷室３１奥に設けた吐出孔３６は、冷気ダクト４４ｃ内の風路の抵抗をつけずに、冷気の循環を良くするために、冷気ダクト４４ｃの長手方向の投影面上に位置させるほうがよい。
【００３９】
また、氷検知レバー４５は、製氷皿３９が簡単に着脱できるように、製氷皿３９側方に位置させる。さらに、冷気出口孔４９付近や冷気ダクト４４ｃを形成するフレーム４４等で冷気が直接当たらないように設置すると、氷検知レバー４５の凍結や着霜を防止できる。
【産業上の利用可能性】
【００４０】
以上のように、本発明にかかる冷蔵庫は、製氷室内の冷気を循環させる風路を、製氷皿の側方に位置させ、製氷皿の側方から直接冷気を取り入れることができることから、製氷皿内の位置によってバラツキの少なくすることができるとともに、製氷スピードを向上することができるため、冷蔵庫以外でも製氷機等にも適用できる。
【図面の簡単な説明】
【００４１】
【図１】本発明の実施の形態１における冷蔵庫の縦断面図
【図２】同実施の形態における冷蔵庫の部分断面図
【図３】同実施の形態における冷蔵庫の部分断面図
【図４】同実施の形態における製氷装置の分解図
【図５】同実施の形態における製氷皿周辺の分解斜視図
【図６】同実施の形態における製氷装置の平面図
【図７】同実施の形態における図６のＢ−Ｂ断面図
【図８】同実施の形態における製氷装置の斜視図
【図９】従来の製氷装置を備えた冷蔵庫の製氷装置部の縦断面図
【図１０】同製氷装置における製氷皿部分の斜視図
【符号の説明】
【００４２】
３０  冷蔵庫本体
３１  製氷室
３１ａ  製氷室扉
３６  吐出孔
３７  製氷装置
３８  駆動部
３９  製氷皿
３９ａ、３９ｂ  軸部
４４  フレーム
４４ａ、４４ｂ  仕切壁
４４ｃ  冷気ダクト
４８  冷気入口孔
４９  冷気出口孔
５０  温度検知センサー
５１  整流板
【図１】
2006046749.tif 000003
【図２】
2006046749.tif 000004
【図３】
2006046749.tif 000005
【図４】
2006046749.tif 000006
【図５】
2006046749.tif 000007
【図６】
2006046749.tif 000008
【図７】
2006046749.tif 000009
【図８】
2006046749.tif 000010
【図９】
2006046749.tif 000011
【図１０】
2006046749.tif 000012
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
製氷皿と前記製氷皿から氷を分離させる駆動部とを有し前記製氷皿を前記駆動部に着脱可能に設けた製氷装置と、冷気を噴出する吐出孔と、氷を作るために前記製氷皿に冷気を導く風路とを設け、前記駆動部は前記製氷装置を設けた製氷室扉の反扉方向後方に設けられ、前記風路は製氷室奥に設置された前記吐出孔から吐出された冷気を前記駆動部の側方に導き、前記製氷皿の長辺側から冷気を投入するようにしたことを特徴とする冷蔵庫。
【請求項２】
開閉自在な製氷室扉を設け、製氷室を冷蔵庫本体に構成し、製氷皿と、製氷皿を保持する保持体と、前記製氷皿から氷を分離させる駆動部と、前記製氷皿の下方に設けた貯氷箱と、前記貯氷箱の氷の量を検知する氷検知レバーとを有し、前記製氷皿と保持体は一体構成され、前記保持体は製氷皿を保持したまま製氷室外に取り出せるような着脱機構を有した製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を投入するようにしたことを特徴とする冷蔵庫。
【請求項３】
製氷室上部に固定されたフレームと、前記製氷装置とにより構成される製氷室において、前記フレームの製氷室奥から前記製氷皿前面にかけての左右どちらか一方の側方に、凹状に形成した冷気ダクトを前記フレームに一体構成し、前記冷気ダクトの製氷皿側の仕切壁に冷気入口孔を設けたことを特徴とする請求項１または２に記載の冷蔵庫。
【請求項４】
前記フレームに設けた冷気ダクトに、前記製氷室奥に設置した吐出孔と前記冷気入口孔との間に整流板に設けることを特徴とする請求項３に記載の冷蔵庫。
【請求項５】
製氷室上部に固定されたフレームと、前記製氷装置とにより構成される製氷室において、前記フレームの製氷室奥から前記製氷皿前面にかけての左右どちらか一方の側方に冷気ダクトを設け、前記冷気ダクトの製氷皿側の仕切壁に冷気入口孔を設け、反対側のもう一方の側方に前記製氷皿を覆うように下方へ伸びる仕切壁を設け、前記仕切壁に冷気出口孔を設けたことを特徴とする請求項３または４に記載の冷蔵庫。
【請求項６】
前記冷気入口孔の下端が、前記製氷皿の上端面に対し、高さ方向で略同一か、それ以上の位置にあることを特徴とする請求項３から５のいずれか一項に記載の冷蔵庫。
【請求項７】
前記冷気ダクトの長手方向の投影面上に製氷室奥の吐出孔を設けたことを特徴とする請求項３から６のいずれか一項に記載の冷蔵庫。
【請求項８】
前記フレームに設けた仕切壁に、製氷が完了したこと検知する温度検知センサーを設けたことを特徴とする請求項３から７のいずれか一項に記載の冷蔵庫。
【請求項９】
前記製氷皿を一体構成した保持体の長辺側の側方に、前記氷検知レバーを設けたことを特徴とする請求項３から８のいずれか一項に記載の冷蔵庫。
【請求項１０】
前記氷検知レバーを、前記フレームの仕切壁と、冷気ダクトに形成した製氷皿側のダクト壁との間の空間に設けたことを特徴とする請求項９に記載の冷蔵庫。
【手続補正２】
【補正対象書類名】明細書
【補正対象項目名】０００８
【補正方法】変更
【補正の内容】
【０００８】
上記従来の課題を解決するために、製氷皿と前記製氷皿から氷を分離させる駆動部とを有し前記製氷皿を前記駆動部に着脱可能に設けた製氷装置と、冷気を噴出する吐出孔と、氷を作るために前記製氷皿に冷気を導く風路とを設け、前記駆動部は前記製氷装置を設けた製氷室扉の反扉方向後方に設けられ、前記風路は製氷室奥に設置された前記吐出孔から吐出された冷気を前記駆動部の側方に導き、前記製氷皿の長辺側から冷気を投入するようにしたものである。
また、開閉自在な製氷室扉を設け、製氷室を冷蔵庫本体に構成し、製氷皿と、製氷室扉方向の前方及び後方に設けた軸部に支持または把持する保持部分を備えた保持体と、前期製氷皿から氷を分離させる駆動部と、前記製氷皿と保持体は一体構成され、前記保持体は製氷皿を保持したまま製氷室外に取り出せるような着脱機構を有した自動製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を受けるようにしたものである。
【手続補正３】
【補正対象書類名】明細書
【補正対象項目名】０００９
【補正方法】変更
【補正の内容】
【０００９】
これによって、製氷室内の冷気を循環させる風路を、製氷皿の側方に位置させ、製氷皿の側方から直接冷気を取り入れることができることから、製氷皿内の位置によって製氷時間のバラツキを少なくすることができ、製氷スピードを向上することができる。
また、製氷室に設けられた製氷皿は回転する支持部と一体構成された保持体として製氷装置の駆動部の回転軸と着脱できることから、冷蔵庫本体から簡単かつ容易に製氷皿を取り外し、取り付けすることができるとともに、製氷室内の冷気を循環させる風路を、製氷皿の側方に位置させ、製氷皿の側方から直接冷気を取り入れることができることから、製氷皿内の位置によってバラツキの少なくすることができるとともに、製氷スピードを向上することができる。
【手続補正４】
【補正対象書類名】明細書
【補正対象項目名】００１２
【補正方法】変更
【補正の内容】
【００１２】
請求項１に記載の発明は、製氷皿と前記製氷皿から氷を分離させる駆動部とを有し前記製氷皿を前記駆動部に着脱可能に設けた製氷装置と、冷気を噴出する吐出孔と、氷を作るために前記製氷皿に冷気を導く風路とを設け、前記駆動部は前記製氷装置を設けた製氷室扉の反扉方向後方に設けられ、前記風路は製氷室奥に設置された前記吐出孔から吐出された冷気を前記駆動部の側方に導き、前記製氷皿の長辺側から冷気を投入するようにしたものであり、製氷室内の冷気を循環させる風路を、製氷皿の側方に位置させ、製氷皿の側方から直接冷気を取り入れることができることから、製氷皿内の位置によって製氷時間のバラツキを少なくすることができ、製氷スピードを向上することができる。
請求項２に記載の発明は、開閉自在な製氷室扉を設け、製氷室を冷蔵庫本体に構成し、製氷皿と、製氷皿を保持する保持体と、前記製氷皿から氷を分離させる駆動部と、前記製氷皿の下方に設けた貯氷箱と、前記貯氷箱の氷の量を検知する氷検知レバーとを有し、前記製氷皿と保持体は一体構成され、前記保持体は製氷皿を保持したまま製氷室外に取り出せるような着脱機構を有した製氷装置と、冷気を噴出する吐出孔と、氷を作るために前記製氷皿に冷気を導く風路とで構成された製氷室において、前記駆動部は前記製氷室扉の反扉方向後方に設けられ、前記風路は製氷室奥に設置された前記吐出孔から吐出し、前記駆動部の側方を通り、前記製氷皿の長辺側から冷気を投入したものであり、製氷室内の冷気を循環させる風路を、製氷皿の側方に位置させ、製氷皿の側方から直接冷気を取り入れることができることから、製氷スピードを向上することができる。また、製氷皿を回転する駆動装置に直接冷気を当てないような風路を構成することができることから、駆動装置の回転軸が非常に温度低下し、着霜及び凍結に至ることを防止することができる。
【手続補正５】
【補正対象書類名】明細書
【補正対象項目名】００１３
【補正方法】変更
【補正の内容】
【００１３】
請求項３に記載の発明は、請求項１または２に記載の発明において、製氷室上部に固定されたフレームと、前記製氷装置とにより構成される製氷室において、前記フレームの製氷室奥から前記製氷皿前面にかけての左右どちらか一方の側方に、冷気ダクトを設け、前記凹部の製氷皿側の仕切壁に冷気入口孔を設けたことものであり、冷気を循環させる風路が冷気ダクトに確実に囲い、冷気漏れを防止することができ、更に効率的に製氷を行うことができる。
【手続補正６】
【補正対象書類名】明細書
【補正対象項目名】００１４
【補正方法】変更
【補正の内容】
【００１４】
請求項４に記載の発明は、請求項３に記載の発明において、フレームに設けた冷気ダクトに、前記製氷室奥に設置した吐出孔と前記冷気入口孔との間に整流板に設けたものであり、製氷室内を循環する冷気を配分しながら製氷皿へ取り入れることができるため、製氷皿内の前後左右の位置による製氷スピードのバラツキをなくし、均一な時間で製氷することが可能となる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
請求項５に記載の発明は、請求項３または４に記載の発明において、製氷室上部に固定されたフレームと、前記自動製氷装置とにより構成される製氷室において、前記フレームの製氷室奥から前記製氷皿前面にかけての左右どちらか一方の側方に冷気ダクトを設け、前記冷気ダクトの製氷皿側の仕切壁に冷気入口孔を設け、反対側のもう一方の側方に前記製氷皿を覆うように下方へ伸びる仕切壁を設け、前記仕切壁に冷気出口孔を設けたものであり、フレームの左右両側に仕切壁を設けることで、フレームの強度を増すことができ、フレームに自動製氷装置である駆動部や製氷皿を取り付けることが可能となる。更に、強度を確保するとともに、製氷皿側方から取り入れた冷気を効率良く反対側の仕切壁に設置した冷気出口孔から通過させるため、製氷皿周辺の冷気の淀みを抑制し、製氷皿周辺の着霜や凍結を防止することができる。
【手続補正９】
【補正対象書類名】明細書
【補正対象項目名】００１７
【補正方法】変更
【補正の内容】
【００１７】
請求項６に記載の発明は、請求項３から５のいずれか一項に記載の発明において、冷気入口孔の下端が、前記製氷皿の上端面に対し、高さ方向で略同一か、それ以上の位置にすることで、冷蔵庫製氷皿側方から取り入れる冷気を確実に製氷皿の上部開口面、すなわち給水された水の水面を通過するようにできることから、更に製氷スピードを向上できる。
【手続補正１０】
【補正対象書類名】明細書
【補正対象項目名】００１８
【補正方法】変更
【補正の内容】
【００１８】
請求項７に記載の発明は、請求項３から６のいずれか一項に記載の発明において、冷気ダクトの長手方向の投影面上に製氷室奥の吐出孔を設けたものであり、製氷室奥の吐出孔と冷気ダクトが、製氷室の前後方向で一直線上に配置できることから、風路抵抗を少なくし、冷気の循環を良くすることが可能となる。
【手続補正１１】
【補正対象書類名】明細書
【補正対象項目名】００１９
【補正方法】変更
【補正の内容】
【００１９】
請求項８に記載の発明は、請求項３から７のいずれか一項に記載の発明において、フレームに設けた仕切壁に、所定時間後に製氷が完了したこと検知する温度検知センサーを設けたことものであり、製氷皿の近傍に設置することができ、製氷皿の状態を精度良く検知し、検知精度の向上とともに、フレームと温度検知センサーを一体構成できることから作業性の向上にもつながる。
【手続補正１２】
【補正対象書類名】明細書
【補正対象項目名】００２０
【補正方法】変更
【補正の内容】
【００２０】
請求項９に記載の発明は、請求項３から８のいずれか一項に記載の発明において、製氷皿を一体構成した保持体の長辺側の側方に、前記氷検知レバーを設けたものであり、保持体により一体構成された製氷皿が氷検知レバーに干渉せずに、簡単に着脱できるとともに、着脱時にスライドさせる製氷皿から水等がこぼれた場合でも水かかりを防止できる。